(57)【特許請求の範囲】
【請求項１】
基地局は、移動局へ、制御シグナリングの送信位置の指示情報を送信し、
前記制御シグナリングの送信位置の指示情報により示された制御シグナリングの送信位置がデータ領域に位置し、且つ前記移動局が開ループのＭＩＭＯ方式に設定された場合、前記基地局は、事前設定された開ループのＭＩＭＯ方式又は送信ダイバーシティ方式を用いて、前記データ領域において前記制御シグナリングを送信する制御シグナリングの伝送方法であって、
前記基地局は前記事前設定された開ループのＭＩＭＯ方式を用いて前記データ領域において前記制御シグナリングを送信する場合、前記基地局による前記制御シグナリングの送信は、開ループのＭＩＭＯ方式を支持可能な最低のランクを用いる、制御シグナリングの伝送方法。
【請求項２】
前記基地局は開ループのＭＩＭＯ方式を用いて前記データ領域において前記制御シグナリングを送信する場合、前記基地局による前記制御シグナリングの送信は、送信データに対して前記基地局により設定されたランクを用いる、請求項１に記載の制御シグナリングの伝送方法。
【請求項３】
前記基地局による前記制御シグナリングの送信に用いられたランクが２以上の場合、前記基地局は、一つの変調符号化リンクを用いて前記制御シグナリングを送信する、請求項１又は２に記載の制御シグナリングの伝送方法。
【請求項４】
前記基地局は一つの変調符号化リンクを用いて前記制御シグナリングを送信する場合の伝送方法は、
前記制御シグナリングに対してチャネル符号化を行い、
チャネル符号化されたシンボルに対して変調を行い、
前記ランクに基づいて、変調されたシンボルに対してレイヤマッピングを行い、
単一のプリコーディングのマトリックスを用いて、レイヤマッピングされたデータに対してプリコーディングを行う、請求項３に記載の制御シグナリングの伝送方法。
【請求項５】
前記データ領域において送信された前記制御シグナリングは、個別の基準信号を用いてチャネル推定を行う、請求項１に記載の制御シグナリングの伝送方法。
【請求項６】
前記基地局は開ループのＭＩＭＯ方式を用いて前記データ領域において前記制御シグナリングを送信する場合、前記伝送方法は、
前記基地局が送信ダイバーシティ方式を用いるモードに戻してデータを送信するか否かを判定し、
前記基地局が送信ダイバーシティ方式を用いるモードに戻してデータを送信した場合、前記基地局は、送信ダイバーシティ方式を用いるモードに戻して前記制御シグナリングを送信する、請求項１に記載の制御シグナリングの伝送方法。
【請求項７】
移動局へ、制御シグナリングの送信位置の指示情報を送信する第１の送信手段と、
前記第１の送信手段により送信された前記制御シグナリングの送信位置の指示情報により示された制御シグナリングの送信位置がデータ領域に位置し、且つ前記移動局が開ループのＭＩＭＯ方式に設定された場合、事前設定された開ループのＭＩＭＯ方式又は送信ダイバーシティ方式を用いて、前記データ領域において前記制御シグナリングを送信する第２の送信手段とを備える、基地局であって、
前記第２の送信手段は前記事前設定された開ループのＭＩＭＯ方式を用いて前記データ領域おいて前記制御シグナリングを送信する場合、前記第２の送信手段による前記制御シグナリングの送信は、開ループのＭＩＭＯ方式を支持可能な最低のランクを用いる、基地局。
【請求項８】
前記第２の送信手段は開ループのＭＩＭＯ方式を用いて前記データ領域において前記制御シグナリングを送信する場合、前記第２の送信手段による前記制御シグナリングの送信は、送信データに対して前記基地局により設定されたランクを用いる、請求項７に記載の基地局。
【請求項９】
前記第２の送信手段による前記制御シグナリングの送信に用いられたランクが２以上の場合、前記第２の送信手段は、一つの変調符号化リンクを用いて前記制御シグナリングを送信する、請求項７又は８に記載の基地局。
【請求項１０】
前記第２の送信手段は、
前記制御シグナリングに対してチャネル符号化を行うチャネル符号化モジュールと、
チャネル符号化されたシンボルに対して変調を行う変調モジュールと、
前記ランクに基づいて、変調されたシンボルに対してレイヤマッピングを行うレイヤマッピングモジュールと、
単一のプリコーディングのマトリックスを用いて、レイヤマッピングされたデータに対してプリコーディングを行うプリコーディングモジュールと、を含む、請求項９に記載の基地局。
【請求項１１】
前記データ領域において送信された前記制御シグナリングは、個別の基準信号を用いてチャネル推定を行う、請求項７に記載の基地局。
【請求項１２】
前記基地局は開ループのＭＩＭＯ方式を用いて前記データ領域において前記制御シグナリングを送信する場合、
前記基地局は、前記基地局が送信ダイバーシティ方式を用いるモードに戻してデータを送信するか否かを判定する判定手段、をさらに含み、
前記基地局が送信ダイバーシティ方式を用いるモードに戻してデータを送信すると判定された場合、前記第２の送信手段は、送信ダイバーシティ方式を用いるモードに戻して前記制御シグナリングを送信する、請求項７に記載の基地局。
【発明の詳細な説明】
【技術分野】
【０００１】
本発明は、通信分野に関し、特に制御シグナリングの伝送方法及び装置に関する。
【背景技術】
【０００２】
ロングタームエボリューション（LTE：Long  Term  Evolution）システムでは、物理ダウンリンク制御チャネル（PDCCH：physical  downlink  control  channel）は制御情報を伝送するために用いられ、ダウンリンクスケジューリング情報（DL-Grant）、アップリンクスケジューリング情報（UL-Grant）、及び制御情報などを含む。ＰＤＣＣＨにおいて伝送された具体的なシグナリングは、ダウンリンク制御情報（DCI：downlink  control  information）と称される。基地局は、セル内の全ての移動局のＰＤＣＣＨを一つのサブフレームにおける上位いくつかのＯＦＤＭシンボルに多重化して送信し、その後のＯＦＤＭ符号を用いて移動局のＰＤＳＣＨを送信する。ここで、ＰＤＣＣＨを送信するための領域は、制御領域と称され、ＰＤＳＣＨを送信するための領域は、データ領域と称される。現在、多くとも３つのＯＦＤＭシンボルを用いてＰＤＣＣＨを伝送し、典型的なサブフレームの構成は図１に示されている。
【０００３】
しかし、あるシーンでは、ＰＤＣＣＨの容量が制限されている場合がある、即ち、３つのＯＦＤＭシンボルの容量は既存の移動局スケジューリングの要望を満たすことができない場合がある。このシーン、例えばＬＴＥ  ｒｅｌｅａｓｅ  １１にでは、１つのセルに複数の無線リモートヘッダ（RRH：radio  remote  header）が同時に存在し、ＲＲＨは、このような地域の移動局によいサービスを提供するように、セルのホットスポット地域又はセルの周辺に配置されてもよい。典型的なＲＲＨを含むセルの配置は図２に示されている。ＲＲＨの送信電力が低く、ＲＲＨ間の間隔が遠いため、異なるＲＲＨにより覆われている範囲内の移動局は同じリソースを共有することができ、一方、１つのサブフレームのリソースでは、１つのセルのスケジューリングすることが可能な移動局の数が増加し、１つのサブフレームにおいて送信されるスケジューリング情報も合わせて増加するため、従来の３つのＯＦＤＭシンボルは、すべての移動局のスケジューリング情報を置くことができない可能性がある。この問題を解決できないと、ユーザのスケジューリングが減少し、システムのスループットが低下してしまう。
【０００４】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００５】
本発明の実施例は、開ループのＭＩＭＯ送信モードに設定された移動局の制御シグナリングをデータ領域において伝送することで、ＰＤＣＣＨ容量が制限されるという問題点を解決する制御シグナリングの伝送方法及び装置を提供することを目的とする。
【課題を解決するための手段】
【０００６】
本発明の実施例の一の態様によれば、基地局は、開ループのＭＩＭＯ方式に設定された移動局へ、制御シグナリングの送信位置の指示情報を送信するステップと、前記制御シグナリングの送信位置の指示情報により示された制御シグナリングの送信位置がデータ領域に位置する場合、前記基地局は、開ループのＭＩＭＯ方式又は送信ダイバーシティ方式を用いて、前記データ領域において前記制御シグナリングを送信するステップと、を含む、制御シグナリングの伝送方法を提供する。
【０００７】
本発明の実施例の他の態様によれば、開ループのＭＩＭＯ方式に設定された移動局へ、制御シグナリングの送信位置の指示情報を送信する第１の送信手段と、前記第１の送信手段により送信された前記制御シグナリングの送信位置の指示情報により示された制御シグナリングの送信位置がデータ領域に位置する場合、開ループのＭＩＭＯ方式又は送信ダイバーシティ方式を用いて、前記データ領域において前記制御シグナリングを送信する第２の送信手段と、を含む、基地局を提供する。
【０００８】
本発明の実施例の他の態様によれば、基地局においてプログラムを実行する際に、コンピュータに、上記の制御シグナリングの伝送方法を前記基地局において実行させるコンピュータ読み出し可能なプログラムを提供する。
【０００９】
本発明の実施例の他の態様によれば、コンピュータに、上記の制御シグナリングの伝送方法を基地局において実行させるためのコンピュータ読み出し可能なプログラムを記憶する記憶媒体。
【００１０】
本発明の実施例の有益な効果としては、セルにおいてスケジューリングされる必要がある移動局の数が増加して、サブフレームにおいて送信される必要があるスケジューリング情報が増加した場合、本発明の実施例に係る方法及び装置によれば、開ループＭＩＭＯの送信モードに設定された移動局の制御シグナリングをデータ領域において伝送することで、ユーザのスケジューリングを増加し、システムのスループットを向上し、ＰＤＣＣＨ容量の制限を解決できる。
【００１１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１３】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００１４】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】典型的なサブフレームの構成を示す図。
【図２】ＲＲＨを含むセルのネットワーク構成を示す図。
【図３】本発明の実施例１に係る制御シグナリングの伝送方法のフローチャート。
【図４】ＴｘＤ方式を用いてデータ領域において制御シグナリングを送信する処理のフローチャート。
【図５】既存の標準における閉ループ／開ループのＭＩＭＯ送信モードの送信側の処理のフローチャート。
【図６】将来のＬＴＥシステムにおける、開ループのＭＩＭＯに用いられるランクが１である場合の送信側の処理のフローチャート。
【図７】既存の標準における開ループのＭＩＭＯ送信モードの場合のプリコーディング処理のフローチャート。
【図８】本発明の実施例に係る、開ループのＭＩＭＯ方式を用いてデータ領域において制御シグナリングを送信する送信側の処理のフローチャート。
【図９】本発明の実施例２に係る基地局の構成を示す図。
【発明を実施するための形態】
【００１５】
本発明の実施例の前述した特徴及び他の特徴は、図面を参照しながら、下記の明細書を通じて分かる。これらの実施形態は例示的なものに過ぎなく、本発明を限定するものではない。当業者に本発明の原理及び実施形態を容易に理解させるため、本発明の実施形態は、下記ＬＴＥ／ＬＴＥ−Ａシステムにおける制御シグナリングの伝送方法を例にして説明されているが、勿論、本発明の実施例は該システムに限定されず、制御シグナリングの伝送に関する如何なるシステムに適用できる。
【００１６】
以下の実施例１に示すように、本発明の実施例は制御シグナリングの伝送方法を提供する。
【００１７】
＜実施例１＞
図３は、本発明の実施例１に係る制御シグナリングの伝送方法のフローチャートである。図３に示すように、該方法は、ステップ３０１及びステップ３０２を含む。
【００１８】
ステップ３０１において、基地局は、開ループのマルチ入力マルチ出力（ＭＩＭＯ）方式に設定された移動局へ制御シグナリングの送信位置の指示情報を送信する。
【００１９】
ここで、該制御シグナリングの送信位置の指示情報は該制御シグナリングの送信位置を指示するためのものであり、送信位置は制御領域、即ち通常のＰＤＣＣＨ領域に位置してもよいし、データ領域、即ち通常のＰＤＳＣＨに位置してもよい。
【００２０】
ステップ３０２において、該制御シグナリングの送信位置の指示情報により示された制御シグナリングの送信位置がデータ領域に位置する場合、該基地局は、開ループのマルチ入力マルチ出力（MIMO：Multiple  Input  Multiple  Output）方式又は送信ダイバーシティ（TxD：transmit  diversity）方式を用いて、該データ領域において該制御シグナリングを送信する。
【００２１】
本実施例では、開ループのＭＩＭＯ方式に設定された移動局に対して、ＰＤＣＣＨ領域送信からデータ領域送信に変更して制御シグナリングを伝送する制御シグナリングの伝送方法を提供し、送信方式は開ループのＭＩＭＯ方式を用いてもよいし、ＴｘＤ方式を用いてもよい。
【００２２】
ＴｘＤ方式を用いてデータ領域において該制御シグナリングを送信する場合、該制御シグナリングの送信フローと従来標準におけるＴｘＤ方式の送信フローと同じである。送信側では２つのアンテナを用いる例では、典型的な処理プロセスとして、図４に示すように、送信側は１つのみのスケジューリングコーディングのリンクを用いる、即ち対応するコードワード（codeword）が１つのみである。ソースビット情報は、例えば本実施例の制御シグナリングをチャネルコーディングし、シンボル変調して、生成されたシンボルをレイヤマッピングする。レイヤマッピングされた岐路（layer）の数をランク（rank）と称し、図４においてrank=2となる。レイヤマッピングされたデータをプリコーディングし、生成されたシンボル系列を割り当てられたリソース要素にマッピングして、アンテナにより送り出す。ここで、プリコーディングの入力シンボルは、ベクトル
【数１】
0005835481.tif 000002
であり、出力シンボルは、マトリックス
【数２】
0005835481.tif 000003
である。
【００２３】
開ループのＭＩＭＯ方式を用いてデータ領域において制御シグナリングを送信する場合、該制御シグナリングの変調コーディング方式と従来標準における開ループのＭＩＭＯ方式の変調コーディング方式と同じであるが、該制御シグナリングのレイヤマッピング及びプリコーディング方式と従来標準におけるレイヤマッピング及びプリコーディング方式とは異なる。本実施例における開ループのＭＩＭＯ方式を用いてデータ領域において制御シグナリングを送信する方法をより明確化するため、以下は対比の方法を用いて、従来標準における開ループのＭＩＭＯ方式を用いてデータ領域においてデータを送信することと、本発明の実施例における開ループのＭＩＭＯ方式を用いてデータ領域において制御シグナリングを送信することとを詳細に説明する。
【００２４】
図５は、既存の標準における閉ループ／開ループのＭＩＭＯ送信モードの送信側の処理のフローチャートである。図５に示すように、マルチ入力マルチ出力に設定された基地局は、送信モードが２つある、即ち開ループのマルチ入力マルチ出力モード、閉ループのマルチ入力マルチ出力モードである。ここで、開ループのマルチ入力マルチ出力モードは、主に移動速度の速い移動局に配置されるものであり、基地局に用いられるプリコーディングのマトリックスは移動局によるフィードバックする必要がなく、基地局が一定のルールによりプリコーディングのマトリックスが指定される。一方、閉ループのマルチ入力マルチ出力モードは、移動速度の遅い移動局に配置されるものであり、基地局に用いられるプリコーディングのマトリックスは、主に移動局からフィードバックされたプリコーディングマトリックスインデックス（PMI：precoding  matrix  index）と共通の所定のコードブック（codebook）と対応することにより得られる。
【００２５】
従来標準では、開ループのマルチ入力マルチ出力モードと、閉ループのマルチ入力マルチ出力とは、送信側が類似する。２つのアンテナを用いて、rank=2の送信方式の例では、その送信側の送信フローは図５に示されている。図４と図５を対比してわかるように、開ループ／閉ループのマルチ入力マルチ出力送信モードと、ＴｘＤ送信モードとの１つの相違点として、rank>=2に設定された場合、対応する送信側の変調コーディングのリンク数が異なる。ＴｘＤ送信モードは、送信側の変調コーディングのリンク数が１であり、開ループ／閉ループのマルチ入力マルチ出力の送信モードは、rank>=2の場合、送信側の変調コーディングのリンク数が２である。
【００２６】
従来標準では、開ループのＭＩＭＯ送信モードに設定された移動局は、開ループのＭＩＭＯの送信方式を確実に用いる場合、最低のランクはrank=2となり、閉ループのＭＩＭＯに用いられる最低のランクはrank=1となる。開ループのＭＩＭＯの送信方式の移動局では、rank=2が既存のチャネルの要求を満たすことができない場合、送信ダイバーシティ方式の送信モードに戻してもよい。また、将来のＬＴＥシステムでは、開ループのＭＩＭＯ送信モードは、最低rank=1の方式を支持してもよく、この場合の送信側のモデルは図６に示されている。
【００２７】
従来の基準では、開ループのＭＩＭＯの送信側は、ｙ＝Ｗ×Ｄ×Ｕ×ｘと表示されてもよい、即ち、プリコーディングマトリックスは、マトリックスＷ、マトリックスＤ及びマトリックスＵ、という３部分を含む。２つのアンテナ、rank=2の例では、送信信号がマトリックスＤ及びマトリックスＵを経過するプロセスは図７に示されている。このように、マトリックスＷを通過する前に、各レイヤ（layer）における各シンボルは、コードワード１（codeword1）及びコードワード２（codeword2）からの信号を含み、ダイバーシティの効果を達成できる。このようなダイバーシティの効果がない、即ち送信信号がマトリックスＤ及びマトリックスＵを通過することなく、マトリックスＷを直接に通過すると、あるレイヤ（layer）におけるチャネルの状況が急に悪くなる場合、このレイヤ（layer）にマッピングされたコードワード（codeword）の復号に非常に不利な影響をもたらすことがある。従来の標準では、閉ループのＭＩＭＯのプリコーディングのマトリックスはマトリックスＷ’である一つのマトリックスのみを含む。
【００２８】
図８は、本発明の実施例に係る、開ループのＭＩＭＯ方式を用いてデータ領域において制御シグナリングを送信する送信側の処理のフローチャートである。該実施例では、図８に示すように、rank=2となり、送信アンテナは４つのアンテナとなる。
【００２９】
１つの実施例では、基地局は開ループのＭＩＭＯ方式を用いてデータ領域において制御シグナリングを送信する場合、該基地局により送信された制御シグナリングは、開ループのＭＩＭＯ方式を支持可能な最低のランクを用いてもよい。即ち、支持可能な開ループのＭＩＭＯ方式が従来標準の開ループのＭＩＭＯ方式である場合、本実施例の制御シグナリングの送信に用いられるランクはrank=2となり、支持可能な開ループのＭＩＭＯ方式が新たに定義された開ループのＭＩＭＯ方式であり、且つ新しい方式がrank=1を支持する場合、本実施例の制御シグナリングの送信に用いられるランクはrank=1となる。
【００３０】
もう１つの実施例では、基地局は開ループのＭＩＭＯ方式を用いてデータ領域において制御シグナリングを送信する場合、該基地局による制御シグナリングの送信は、送信データに対して基地局により設定されたランクを用いてもよい。即ち、本実施例の制御シグナリングに用いられるrank値は、データへ該基地局により設定されたrank値と等しい値であってもよい。例えば、データへ基地局により設定されたランクがrank=2となる場合、本実施例の制御シグナリングはrank=2を用い、データへ基地局により設定されたランクがrank=3となる場合、本実施例の制御シグナリングはrank=3を用い、データへ基地局により設定されたランクがrank=4となる場合、本実施例の制御シグナリングはrank=4を用いる。これによって類推してもよい。
【００３１】
本実施例では、基地局による制御シグナリングの送信に用いられたランクが２以上の場合、従来標準（即ち図５）と異なって、該基地局は、一つの変調符号化リンクを用いて該制御シグナリングを送信する。図８に示すように、まず、該制御シグナリングに対してチャネル符号化を行い、そして、チャネル符号化されたシンボルに対して変調を行い、そして、該ランクに基づいて、変調されたシンボルに対してレイヤマッピングを行い、最後に、単一のプリコーディングのマトリックスを用いて、レイヤマッピングされたデータに対してプリコーディングを行う。
【００３２】
図８に示すように、本実施例では、プリコーディング（precoding）の処理は、単一のプリコーディングのマトリックスのみを用い、マトリックスＤ及びマトリックスＵを含まない。これは、１つのコードワード（codeword）のみを用い、且つ対応する変調信号が２つの岐路（layer）に割り当てられて、ダイバーシティの効果を達成したからである。
【００３３】
本実施例では、移動局は開ループのＭＩＭＯの送信方式に設定され、且つデータに対する復調が特定の基準信号によりチャネル推定を行うことに設定される場合、データ領域において、対応するデータと共に同一のサブフレームにおいて送信された該制御シグナリングも、特定の基準信号によりチャネル推定を行って、復調を行う。
【００３４】
本実施例では、データも開ループのＭＩＭＯの方式を用いて送信され、上述したように、チャネル要求に応じて、データの開ループのＭＩＭＯ送信方式は送信ダイバーシティの送信方式に戻す可能性があるため、本実施例の方法では、データの開ループＭＩＭＯの送信方式から送信ダイバーシティの送信方式に戻したと発見した場合、制御シグナリングも送信ダイバーシティの送信方式に戻す。具体的には、基地局が開ループのＭＩＭＯ方式を用いて該データ領域において該制御シグナリングを送信する場合、本実施例の送信方法は、該基地局が送信ダイバーシティ方式を用いるモードに戻してデータを送信するか否かを判定し、該基地局が送信ダイバーシティ方式を用いるモードに戻してデータを送信した場合、該基地局は、同様に、送信ダイバーシティ方式を用いるモードに戻して該制御シグナリングを送信してもよい。
【００３５】
本発明の実施例によれば、セルにおいてスケジューリングされる必要がある移動局の数が増加して、サブフレームにおいて送信される必要があるスケジューリング情報が増加した場合、本発明の実施例に係る方法及び装置によれば、開ループＭＩＭＯの送信モードに設定された移動局の制御シグナリングをデータ領域において伝送することで、ユーザのスケジューリングを増加し、システムのスループットを向上し、ＰＤＣＣＨ容量の制限を解決できる。
【００３６】
下記の実施例２に述べたように、本発明の実施例は基地局をさらに提供する。該基地局の問題解決の原理と、上述した実施例１の基地局に基づく制御シグナリングの伝送方法と類似するから、該基地局の実施は方法の実施を参照してもよく、重複部分を省略とされる。
【００３７】
図９は、本発明の実施例２に係る基地局の構成を示す図である。図９に示すように、該基地局は、第１の送信部９１、及び第２の送信部９２を含む。
【００３８】
第１の送信部９１は、開ループのＭＩＭＯ方式に設定された移動局へ、制御シグナリングの送信位置の指示情報を送信する。
【００３９】
第２の送信部９２は、第１の送信部９１により送信された制御シグナリングの送信位置の指示情報により示された制御シグナリングの送信位置がデータ領域に位置する場合、開ループのＭＩＭＯ方式又は送信ダイバーシティ方式を用いて、該データ領域において該制御シグナリングを送信する。
【００４０】
実施例１からわかるように、本実施例の基地局は、開ループのＭＩＭＯ方式に設定された移動局に対して、ＰＤＣＣＨ領域送信からデータ領域送信に変更して制御シグナリングを伝送する制御シグナリングの伝送方法を提供し、送信方式は開ループのＭＩＭＯ方式を用いてもよいし、ＴｘＤ方式を用いてもよい。これによって、開ループのＭＩＭＯ方式に設定された移動局のＰＤＣＣＨ容量が制限されている問題が解決された。
【００４１】
１つの実施例では、該第２の送信部９２は開ループのＭＩＭＯ方式を用いて該データ領域において該制御シグナリングを送信する場合、該第２の送信部９２による該制御シグナリングの送信は、開ループのＭＩＭＯ方式を支持可能な最低のランクを用いる。
【００４２】
もう１つの実施例では、該第２の送信部９２は開ループのＭＩＭＯ方式を用いて該データ領域において該制御シグナリングを送信する場合、該第２の送信部９２による該制御シグナリングの送信は、送信データに対して該基地局により設定されたランクを用いる。
【００４３】
ここで、該第２の送信部９２による該制御シグナリングの送信に用いられたランクが２以上の場合、該第２の送信部９２は、一つの変調符号化リンクを用いて該制御シグナリングを送信する。ここで、第２の送信部９２は、チャネル符号化モジュール９２１、変調モジュール９２２、レイヤマッピングモジュール９２３、及びプリコーディングモジュール９２３を含む。
【００４４】
チャネル符号化モジュール９２１は、該制御シグナリングに対してチャネル符号化を行う。
【００４５】
変調モジュール９２２は、チャネル符号化されたシンボルに対して変調を行う。
【００４６】
レイヤマッピングモジュール９２３は、該ランクに基づいて、変調されたシンボルに対してレイヤマッピングを行う。
【００４７】
プリコーディングモジュール９２４は、単一のプリコーディングのマトリックスを用いて、レイヤマッピングされたデータに対してプリコーディングを行う。
【００４８】
本実施例では、該第２の送信部９２により該データ領域において送信された該制御シグナリングは、復調を行うために、特定の基準信号によりチャネル推定を行う。
【００４９】
本実施例では、該基地局は開ループのＭＩＭＯ方式を用いて該データ領域において該制御シグナリングを送信する場合、該基地局は、判定部９３をさらに含む。
【００５０】
判定部９３は、該基地局が送信ダイバーシティ方式を用いるモードに戻してデータを送信するか否かを判定する。
【００５１】
該基地局が送信ダイバーシティ方式を用いるモードに戻してデータを送信すると、判定部９３により判定された場合、該第２の送信部９２は、送信ダイバーシティ方式を用いるモードに戻して該制御シグナリングを送信する。
【００５２】
本発明の実施例の基地局によれば、セルにおいてスケジューリングされる必要がある移動局の数が増加して、サブフレームにおいて送信される必要があるスケジューリング情報が増加した場合、本発明の実施例に係る方法及び装置によれば、開ループＭＩＭＯの送信モードに設定された移動局の制御シグナリングをデータ領域において伝送することで、ユーザのスケジューリングを増加し、システムのスループットを向上し、ＰＤＣＣＨ容量の制限を解決できる。
【００５３】
本発明の実施例は、コンピュータ読み出し可能なプログラムをさらに提供し、該コンピュータ読み出し可能なプログラムは、基地局においてプログラムを実行する際に、コンピュータに、実施例１に記載の制御シグナリングの伝送方法を該基地局において実行させる。
【００５４】
本発明の実施例は、コンピュータ読み出し可能なプログラムを記憶する記憶媒体をさらに提供し、該コンピュータ読み出し可能なプログラムは、コンピュータに、実施例１に記載の制御シグナリングの伝送方法を基地局において実行させる。
【００５５】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００５６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
0005835481.tif 000004
【図２】
0005835481.tif 000005
【図３】
0005835481.tif 000006
【図４】
0005835481.tif 000007
【図５】
0005835481.tif 000008
【図６】
0005835481.tif 000009
【図７】
0005835481.tif 000010
【図８】
0005835481.tif 000011
【図９】
0005835481.tif 000012